(57)【特許請求の範囲】
【請求項１】
踏み段部と踊り場部とを有する鉄骨階段において、
水平板の下面に一体に垂直板を連設してなる通路用ユニットの両端を、側板又はささら桁で挟み、前記通路用ユニットに形成した螺孔を介して、通路用ユニットと側板又はささら桁とをボルトで固定して踊り場を構成し、
前記垂直板を下垂直板と補強垂直板とを重ねて構成し、前記下垂直板の中間部に巾方向の突出条を形成し、該突出条の両端にナットを固定して前記螺孔を形成したことを特徴とする鉄骨階段。
【請求項２】
踏み段部と踊り場部とを有する鉄骨階段において、
水平板の一端に垂直板を固定して略Ｌ字状の通路用ユニットを形成し、該通路用ユニットの水平板の一端部上に、他の通路用ユニットの水平板の他端部を重ねて連結し、連結した通路用ユニットの両端を側板又はささら桁で挟み、前記通路用ユニットの水平板に形成した第１螺孔と垂直板に形成した第２螺孔に、側板又はささら桁からボルトを螺合緊結して踊り場を構成し、
前記垂直板を、下垂直板と補強垂直板とを重ねて構成し、前記下垂直板の中間部に巾方向の突出条を形成し、該突出条の両端にナットを固定して前記第２螺孔を形成し、
前記水平板を、上水平板と下水平板とを重ねて構成し、前記上水平板又は下水平板のいずれかの中間部に巾方向の突出条を形成し前記突出条の両端にナットを固定して第１螺孔を形成したことを特徴とする鉄骨階段。
【請求項３】
水平板の上面に無機質材料からなる床パネルを載置し、該床パネルから前記突出条に向けてネジ類を打ち込んで床パネルを固定したことを特徴とする請求項１又は２記載の鉄骨階段。
【請求項４】
踏み段部と踊り場部とを有する鉄骨階段において、下水平板の中間部に巾方向全長に、下方に屈曲した突出条を形成し、該突出条の両端部にナットを固定して螺孔を形成してなる下板に、上水平板を有する上板を重ねて固定してなる通路用ユニットを、並列配置し、ささら桁から通路用ユニットの螺孔に向けてボルトを螺合緊結連結して踏み段を形成したこと構成したことを特徴とする鉄骨階段。
【発明の詳細な説明】
【０００１】
【発明の属する技術分野】
この発明は、鉄骨階段及びこの鉄骨階段の踊り場、踏み段、あるいはその他の通路に使用する通路用ユニットに関する。
【０００２】
【従来の技術】
鉄骨階段５７では、踏み段部５８の両側にささら桁５９、５９を配置し、踏み段部５８に形成した螺孔（ナット）にささら桁５９、５９からボルトを螺合緊結して、鉄骨階段５７を形成していた。この場合、踏み段部５８の上下に踊り場部６０、６０を形成する場合には、ささら桁５９（又は他の側板）間に、床を構成する鉄板６１を溶接していた。また、鉄板６１上にコンクリート製の床盤６２を形成する場合には、鉄板６１上にワイヤーメッシュ６３（又は鉄筋）を配置して、コンクリートを打設して形成していた（図１４）。また鉄板６１の下面及びささら桁５９、５９間に箱リブ６４、根太６５、６５を溶接し、鉄板６１を補強する必要があった。
【０００３】
【発明が解決しようとする課題】
前記従来の鉄骨階段５７の場合、溶接により鉄板６１とささら桁５９とを固着しているため、鉄板６１やささら桁５９にひずみが生じる問題点があった。また、溶接の為に、ささら桁５９（又は側板）や鉄板６１に、けがきが必要であり、人の手に頼らざるを得ず、鉄骨階段５７の製造において、製造の効率化の障害となっていた。
【０００４】
また、コンクリート製の床盤６２、６２を形成する場合、床盤６２の割れを防止する為にワイヤーメッシュ６３を所定位置に埋設する必要があった。この際、床板６１上にスペーサーを使用してワイヤーメッシュ６３を所定高さに配置していたので、作業が煩雑となっていた。
【０００５】
【課題を解決するための手段】
然るにこの発明では、通路用ユニットと側板又はささら桁とをボルトで固定したので、前記問題点を解決した。
【０００６】
即ちこの発明は、踏み段部と踊り場部とを有する鉄骨階段において、水平板の下面に一体に垂直板を連設してなる通路用ユニットの両端を、側板又はささら桁で挟み、前記通路用ユニットに形成した螺孔を介して、通路用ユニットと側板又はささら桁とをボルトで固定して踊り場を構成し、前記垂直板を下垂直板と補強垂直板とを重ねて構成し、前記下垂直板の中間部に巾方向の突出条を形成し、該突出条の両端にナットを固定して前記螺孔を形成したことを特徴とする鉄骨階段である。
【０００７】
また、踏み段部と踊り場部とを有する鉄骨階段において、水平板の一端に垂直板を固定して略Ｌ字状の通路用ユニットを形成し、該通路用ユニットの水平板の一端部上に、他の通路用ユニットの水平板の他端部を重ねて連結し、連結した通路用ユニットの両端を側板又はささら桁で挟み、前記通路用ユニットの水平板に形成した第１螺孔と垂直板に形成した第２螺孔に、側板又はささら桁からボルトを螺合緊結して踊り場を構成し、前記垂直板を、下垂直板と補強垂直板とを重ねて構成し、前記下垂直板の中間部に巾方向の突出条を形成し、該突出条の両端にナットを固定して前記第２螺孔を形成し、前記水平板を、上水平板と下水平板とを重ねて構成し、前記上水平板又は下水平板のいずれかの中間部に巾方向の突出条を形成し前記突出条の両端にナットを固定して第１螺孔を形成したことを特徴とする鉄骨階段である。
【０００８】
また、前記において、水平板の上面に無機質材料からなる床パネルを載置し、該床パネルから前記突出条に向けてネジ類を打ち込んで床パネルを固定したことを特徴とする鉄骨階段である。
【０００９】
また、踏み段部と踊り場部とを有する鉄骨階段において、下水平板の中間部に巾方向全長に、下方に屈曲した突出条を形成し、該突出条の両端部にナットを固定して螺孔を形成してなる下板に、上水平板を有する上板を重ねて固定してなる通路用ユニットを、並列配置し、ささら桁から通路用ユニットの螺孔に向けてボルトを螺合緊結連結して踏み段を形成したこと構成したことを特徴とする鉄骨階段である。
【００１６】
前記における側板とは、階段の踊り場部の両側又は通路の床板の両側を受ける長方形状の板材でである。また、ささら桁とは、階段の踏み段部と踊り場部を受ける共通の板材で、前記側板の機能を含む。
【００１７】
前記における通路用ユニットは、主に階段の踊り場や踏み段を構成する部材であるが、廊下、スロープなどの他の通路に使用することもできる。
【００１８】
【発明の実施の形態】
この発明の通路用ユニットでは、歩行用の水平板（床板）の下面側に水平板を支える垂直板（根太）とから構成する。通常の通路では、この通路用ユニットを側板に挟んで通路を構成する。また鉄骨階段の踊り場では、踏み段部から独立した踊り場では側板に、または踏み段部と一体のささら桁に、夫々通路用ユニットを挟んで鉄骨階段の踊り場を構成する。この際、通路用ユニットの垂直板に、あるいは垂直板と水平板とに、設けられた螺孔を使用して側板などにボルト接合されるので、側板などの歪みを防止できる。
【００１９】
例えば、以下のように通路用ユニット３０を構成する。鋼板を屈曲して、下水平板３と下垂直板６とからなる逆Ｌ字状の下板１を形成する。下垂直板６に突出条１１を形成し、溝部９の両端１０、１０に高ナット２３、２３をはめて固定する（図１（ａ））。下垂直板６の外側面６ｂに、補強垂直板１２を固定する。前記補強垂直板１２は上下が屈曲され夫々上水平リブ１３、下水平リブ１４が形成され、略Ｚ字状となっている（図２）。また、下水平板３の上面に、重ねる上水平板１９は上面側に突出条１７を形成され、溝部１５の両端１６、１６に、高ナット２３、２３をはめて固定する（図１（ａ））。下板１の下水平板３に上水平板１９を固定し通路用ユニット３０を構成する（図１（ｂ）、図２）。下垂直板６の上端付近を連結部２７とし、上水平板１９の他端２１側の下面を連結部７とする。また、この通路用ユニット３０は、必要長さだけ連結して使用する（図１（ｃ））。
【００２０】
【実施例１】
図１〜３に基づきこの発明の通路用ユニットの実施例を説明する。
【００２１】
所定巾Ｄの鋼板を屈曲して、下水平板３の一端４に下垂直板６の上端７が連設された下板１を形成する（図１（ａ））。前記下垂直板６の中間部を、幅方向全長に、内方に屈曲して、下垂直板６の内側面６ａ側に突出条１１を形成する。前記突出条１１の外側面側に溝部９が形成される。前記溝部９の幅方向の両端１０、１０に高ナット２３、２３を夫々スポット溶接にて固定する。前記高ナット２３の端縁２４と下垂直板６の幅方向の端縁６ｃとは略面一（あるいは高ナット２３が若干引っ込んだ状態）に配置されている（図３）。また、高ナット２３の側面２５は下垂直板６の外側面６ｂと略面一に固定されている。尚、図２で左側が外側、右側が内側である。
【００２２】
下垂直板６の外側面６ｂに、補強垂直板１２を配置してスポット溶接で固定する。前記補強垂直板１２の上端部は外側に屈曲して、上水平リブ１３が形成され、該上水平リブ１３の上面１３ａと下水平板３の下面３ｂとは略同じ高さに形成されている。また、前記補強垂直板１２の下端部は、下垂直板６の下端８に沿って、内側に屈曲して、下水平リブ１４が形成されている（図２）。
【００２３】
前記下水平板３の上面に、重ねることができる上水平板１９は、中間部に幅方向の全長に亘り、上方に向けて屈曲して、上水平板１９の上面側に突出条１７を形成する。前記突出条１７の下面側に溝部１５が形成される。前記溝部１５の両端１６、１６に、高ナット２３、２３を夫々配置して、スポット溶接にて固定する。
【００２４】
下板１の下水平３の上面３ａに、上水平板１９を重ねて、スポット溶接して両板３、１９を固定する。前記上水平板１９の一端２０は、下水平板３の一端４より、距離Ｌだけ内側に位置し、該上水平板１９の一端２０、下水平板３の上面３ａ、補強垂直板の上水平リブ１３の上面１３ａとで、一方の連結部２７を形成する。
【００２５】
また、前記上水平板１９の他端２１は、下水平板３の他端５より距離Ｌだけ、突出して、該突出部分の下面側で、他方の連結部２８を構成する。
【００２６】
以上のようにして、通路用ユニット３０を構成する（図２、３、図１（ｂ））。前記実施例では、下板１（下水平板３、下垂直板６）及び上水平板１９は、板厚を薄く（１．６ｍｍ程度）し、補強垂直板１２は板厚を厚く（２．３ｍｍ程度）したので、加工性を確保して有効な強度を実現できるので望ましいが（図２）、同じ材厚とし、あるいは厚さを逆にして構成することもできる（図示していない）。
【００２７】
この通路用ユニット３０は、必要長さ分だけ、所定数を並列配置して、隣接する通路用ユニット３０、３０の連結部２７、２８を互いに重ねて（図２）、所定長さの通路を形成する（図１（ｃ））。通路用ユニット３０、３０の両側に、予め高ナット２３、２３の位置に合わせて貫通孔３３、３３を穿設した側板３２、３２を配置し、側板３２の貫通孔３３からボルト３４を挿入して、高ナット２３に螺合緊結して、側板３２と通路用ユニット３０、３０とを固定する（図３鎖線図示３２）。以上のようにして、廊下などの通路として使用する。
【００２８】
前記実施例において、突出条１１、１７の突出方向は任意である。例えば、上水平板１９の上面側に突出条１７を形成したが、下水平板３の下面側に突出条１７を突出させて、通路用ユニット３０ａを形成することもできる（図９）。この場合、高ナット２３を突出条１７内に収容して、上水平板１９は平坦に形成する。
【００２９】
また、前記実施例において、突出条１１、１７の数も任意である。例えば、上水平板１９に２つ以上形成することもできる（図示していない）。
【００３０】
また、前記実施例において、突出条１１、１７は、巾方向の全長に形成したので、突出条がリブとなって、強度を高められるが、両端部に高ナットを収容できる溝部が形成されれば、中間部は平坦に形成することもできる（図示していない）。
【００３１】
また、突出条１１、１７を形成せず、上水平板１９の上面１９ａ、下垂直板６の内側面６ａに、直接に、高ナット２３、２３を溶接して固定することもできる（図示していない）。
【００３２】
また、前記実施例において、下水平板３、下垂直板６、補強垂直板１２、上水平板１９とから構成したが、水平板とこれを補強する垂直板とを有する構造であれば他の構造、例えば一枚の鋼板をＬ字状に屈曲して形成することもできる（図示していない）。
【００３３】
また、前記実施例において、高ナット２３を使用して螺孔を形成したが、他のナット、内壁に螺孔を形成したパイプやその他の部材により螺孔を形成することもできる（図示していない）。
【００３４】
【実施例２】
次に、図４〜６に基づき、前記通路用ユニット３０、３０を使用した踊り場部を含む鉄骨階段５０の実施例を説明する。
【００３５】
所定の段数だけ形成した踏み段部３６の上端３７及び下端３８に連続して、３つ並列した構成の通路用ユニット３０、３０を固定する。前記通路用ユニットが、上踊り場部４０、下踊り場部４１を形成する。
【００３６】
続いて、踏み段部の取付ナット３９、３９位置、通路用ユニット３０、３０の高ナット２３、２３位置に合わせて、貫通孔４４、４４を穿設したささら桁４３、４３を配置し、踏み段部３６、上下踊り場部４０、４１を挟む。ささら桁４３の貫通孔４４、４４からボルト３４、３４を挿入して、取付ナット３９、高ナット２３に螺合緊結して、ささら桁４３に踏み段部３６、通路用ユニット３０、３０（上下踊り場部４０、４１）を固定する。
【００３７】
また、両踊り場部４０、４１の端縁を塞ぐように、ささら桁４３の端縁４３ａ、４３ａ間に巾木４５を固定する（図４、図５）。前記において、連結した通路用ユニット３０、３０と踏み段部３６とは補助板４６を介して固定され、連結した通路用ユニット３０、３０と巾木４５との間は補助板４７を介して固定される（図６）。
【００３８】
以上のようにして、鉄骨階段５０を構成し（図４）、構築現場に搬入される。
図中４８は取付高さ調節の為のアジャスターボルトであり、図中４９はささら桁４３と梁とを固定する為のセットプレートである。
【００３９】
構築現場において、梁５１、５１間に、鉄骨階段５０を架設して、アジャスターボルト４８で取付位置を微調節して、セットプレートを介して梁５１にささら桁４３が固定される（図６）。
【００４０】
続いて、通路用ユニット３０、３０の上水平板１９の上面１９ａに、ワイヤーメッシュ５２を配置して、ワイヤーメッシュ５２を埋設するようにモルタルを充填して、踊り場の床盤５３を構築する。この際、突出条１７、１７上にワイヤーメッシュ５２を置くだけで、突出条１７、１７がスペーサーとなって、床盤５３の中心付近にワイヤーメッシュ５２を埋設することができるので、作業を簡略化できる（図４、図５、図６）。
【００４１】
尚、図４中、５４は吹抜板、５５は吹抜塞ぎ板で、隣接する鉄骨階段５０、５０の踊り場部４０、４１の間隙を塞ぐ部材である。
【００４２】
また、前記において、下垂直板６の高ナット２３（突出条１１）、上水平板１９の高ナット２３（突出条１７）により、ささら桁４３と千鳥状にボルト３４、３４が配置されるので、少ないボルト数で、所定の取付強度を確保できる。
【００４３】
また、前記実施例において、床盤５３を乾式に形成する際には、通路用ユニット３０、３０の上面に各種床パネルを配置することもできる（図示していない）。この場合、床パネルの下面に、突出条１７、１７に合わせた溝を形成すれば、床パネルのずれを防止して、床パネルを容易に配置できる。また、床パネル側からビス類を通路用ユニット３０にねじ込んで床パネルを固定する場合、突出条１７の中間部（高ナット２３を配置していない部分）にビスをねじ込めば、通路用ユニット３０の下面側にビスが露出せず、通路用ユニット３０、３０の下面側の仕上げ処理を省略し又は簡略化できる。
【００４４】
また、図９に示す実施例の場合、上水平板１９の上面は平坦に形成されるので、無機質材料からなる（乾式の）床パネル５６を接着で、あるいはビス類で固定することができる（図９）。この場合も、突条１７を利用すれば、床パネル５６の上面からねじ込んだドリリングネジ（ビス類）の先端は、上水平板１９を貫通するが突条１７内に留まり、通路の外面に露出することはない（図１２参照）。
【００４５】
【実施例３】
次に図７、８に基づき他の通路用ユニット３１の実施例を説明する。
【００４６】
所定巾Ｄの鋼板を屈曲して、上端部に水平リブ２６を形成した下垂直板６を形成する。前記下垂直板６の中間部を、幅方向全長に、内方に屈曲して、下垂直板６の内側面６ａ側に突出条１１を２箇所並列して形成する。前記突出条１１の外側面側に溝部９が形成される。前記溝部９の幅方向の両端１０、１０に高ナット２３、２３を夫々スポット溶接にて固定する（図７（ａ））。前記高ナット２３の端縁２４と下垂直板６の幅方向の端縁６ｃとは略面一（あるいは高ナット２３が若干引っ込んだ状態）に配置されている（図３参照）。また、高ナット２３の側面２５は下垂直板６の外側面６ｂと略面一に固定されている。尚、図６で左側が外側、右側が内側である。
【００４７】
下垂直板６の外側面６ｂに、補強垂直板１２を配置してスポット溶接で固定する（図７（ａ））。前記補強垂直板１２は、実施例１と同様の構造である。即ち、前記補強垂直板１２の上端部は外側に屈曲して、上水平リブ１３が形成され、該上水平リブ１３の上面１３ａと下水平板３の下面３ｂとは略同じ高さに形成されている。また、前記補強垂直板１２の下端部は、下垂直板６の下端８に沿って、内側に屈曲して、下水平リブ１４が形成されている（図８）。
【００４８】
以上のように形成した下垂直板６と垂直補強板１２とで、垂直板１８を構成する（図７（ｂ）、図８）。前記垂直板１８、１８を所定間隔で配置し、隣接する垂直板１８、１８間に平鋼板からなる水平板２２を架設固定して、通路用ユニット３１を構成する（図７（ｄ）、図８）。前記下垂直板６の水平リブ２６と垂直補強板１２の上水平リブ１３とから連結部２９を形成する。前記水平リブ２６の上面２６ａと上水平リブ１３の上面１３ａとは面一に形成されている。
【００４９】
また、前記実施例では、下垂直板６の板厚を薄く（１．６ｍｍ程度）し、補強垂直板１２は板厚を厚く（２．３ｍｍ程度）し、水平板２２の材厚を更に厚く（３．２ｍｍ程度）としたので、加工性を確保して有効な強度を実現できるので望ましいが（図８）、同じ材厚とし、あるいは他の厚さの構成することもできる（図示していない）。
【００５０】
次に前記通路用ユニット３１を使用した鉄骨階段について説明する。
【００５１】
実施例２と同様に、所定の段数だけ形成した踏み段部３６の上端３７及び下端３８に連続して、通路用ユニット３１の垂直板１８を配置する。
【００５２】
続いて、踏み段部の取付ナット３９、３９位置、通路用ユニットの高ナット２３、２３位置に合わせて、貫通孔４４、４４を穿設したささら桁４３、４３を配置し、踏み段部３６、通路用ユニット３１の垂直板を挟む（図４、５参照）。ささら桁４３の貫通孔４４、４４からボルト３４、３４を挿入して、取付ナット３９、高ナット２３に螺合緊結して、ささら桁４３に踏み段部３６、通路用ユニット３１の垂直板１８、１８を固定する（図７（ｃ））。
【００５３】
続いて、隣接する垂直板１８、１８間に、水平板２２を架設する。前記水平板２２の一端２２ａは一方の垂直板１８の水平リブ２６の中間部に位置し、他端２２ｂは他方の垂直板１８の水平リブ１３を越え、水平リブ２６上に位置させてある。隣接する水平板２２の両端２２ａ、２２ｂと、垂直板１８の連結部２９（水平リブ１２、２６）とをビード溶接で固定する。また水平板２２の他側２２ｂ付近に透孔を設けて、水平板２２と水平リブ１３とを栓溶接する。
【００５４】
尚、水平板２２と垂直板１８とは、固定されていれば、スポット溶接等他の溶接方法あるいは他の固定手段を取ることもできる。
【００５５】
この際、垂直板１８上に水平板２２を並べて、溶接するだけであるので、卦書き作業が不要であり、組立作業が簡略化される。また、ささら桁４３と水平板２２、ささら桁４３と垂直板１８とは溶接していないので、ささら桁４３に歪みが生じるおそれがない。
【００５６】
また、両踊り場部４０、４１の端縁を塞ぐように、ささら桁４３の端縁４３ａ、４３ａ間に巾木４５を固定する（図４、図５参照）。
【００５７】
前記において、連結した通路用ユニット３１と踏み段部３６とは補助板４６を介して固定され、連結した通路用ユニット３１と巾木４５との間は補助板４７を介して固定される（図６参照）。
【００５８】
以上のようにして、鉄骨階段５０を構成し（図４参照）、構築現場に搬入される。ささら桁４３に挟まれた通路用ユニット３１、３１が、上踊り場部４０、下踊り場部４１を形成する（図４参照）。
【００５９】
また、水平板２２上に、スペーサー等を載せて（図示していない）、ワイヤーメッシュ５２、５２を配置して、モルタル類を打設して、上踊り場部４０、下踊り場部４１に床盤５３を構築する（図８）
前記実施例において、２つの垂直板１８、１８間に水平板を架設したが、３つ以上の垂直板１８、１８に対して、１枚の水平板２２を架設することもできる（図示していない）。
【００６０】
また、前記実施例において、水平板２２は平板としたが、実施例１と同様の突出条１７を形成すれば、水平板２２を補強し、また、ワイヤーメッシュ等を埋設する際のスペーサーを省略できる（図示していない）。
【００６１】
また、他の構成は実施例１、２と同様である。
【００６２】
【実施例４】
図１０乃至図１３に基づき、踏み段用の通路用ユニットを使用した場合の実施例について説明する。
【００６３】
実施例１と同様に、所定巾Ｄの鋼板を屈曲して、下水平板３の他端５側を、上方に向けて角θで屈曲して蹴込み板片６７とし、下板１を形成する（図１０）。
また、前記蹴込み板片６７の上端部は、下水平板３とは反対側に向けて水平に屈曲して、連結片６８を形成する。また、下水平板３の一端４側を連結片６９とする。
【００６４】
前記下水平板３に、下方に向けた突出条１７、１７を２つ形成する。前記突出条１７の上面側に溝部１５が形成される。実施例１と同様に、前記溝部１５の両端１６、１６に、高ナット２３、２３を夫々配置して、スポット溶接にて固定する。高ナット２３の側面２５は下水平板３の上面３ａと略面一に固定されている（図１０）。
【００６５】
前記下水平板３の上面３ａに、重ねることができる上水平板１９は、他端側２１を、上方に向けて角θで屈曲して蹴込み板片７１とする。前記蹴込み板７１の上端部は、上水平板１９とは反対側に向けて水平に屈曲して、連結片７２を形成する。
【００６６】
前記上水平板１９の一端側２０は、上方に立ち上げ、更に上水平板１９とは反対側に略水平に屈曲して、連結片７３を形成する。以上で、上板７５を形成する。
【００６７】
続いて、下板１の下水平３の上面３ａ及び蹴込み板片６７に、下板７５の上水平板１９及び蹴込み板片７１を夫々重ねて、スポット溶接して両板１、７５を固定し、通路用ユニット７６を構成する（図１０）。この通路用ユニット７６は、前記両水平板３、１９から踏み板を形成し、前記両蹴込み板片６７、７１から蹴込み板を形成する。また、前記蹴込み板片７１の連結片７２は、蹴込み板片６７の連結片６８よりも上方に位置し、連結片６８、７２から連結部７８を形成する。また、下水平片３の連結片６９と上水平板１９の連結片７３とで、連結部７９を形成する。
【００６８】
また、下板１（下水平板３、蹴込み板片６７）及び上板７５（上水平板１９、蹴込み板片７１）は、幅Ｄの長さにもよるが、いずれも板厚を１．６ｍｍ程度で形成してあるが、実施例１と同様に、下板１と上板７５とを異なる板厚で形成することもできる。
【００６９】
この通路用ユニット７６、７６は、必要分だけ所定数を階段状に並列配置して、通路用ユニット７６の連結部７８と、隣接する通路用ユニット７６の連結部７９とを互いに重ねて、所定長さの鉄骨階段の踏み段部を形成する（図１１）。この際、予め高ナット２３、２３の位置に合わせて貫通孔３３、３３を穿設したささら桁４３を、通路用ユニット７６、７６の両側に配置し、ささら桁４３の貫通孔４４からボルト３４を挿入して、高ナット２３に螺合緊結して、ささら桁４３と通路用ユニット７６とを固定する（図１２）。
【００７０】
前記において、通路用ユニット７６には、ささら桁４３に固定する前に、あるいは固定した後に、上水平板上１９で、連結片７３と蹴込み板７１との間の凹部７７に、無機質系の踏み板パネル８０を嵌挿して固定する。この際、突出条１７、１７の中間部位置（高ナット２３を配置していない部分）で、踏み板パネル８０側からドリリングネジ（ビス類）８２を上水平板１９にねじ込んで踏み板パネル８０を固定する（図１２）。踏み板パネル８０及び上水平板１９を貫通したドリリングネジ８２の先端部８３は、突出条１７の溝部１５内に留まり、下水平板３から突出しないので、通路用ユニット７６の下側にビスが露出せず、通路用ユニット７６の下面側の仕上げ処理を省略し又は簡略化できる。また、前記踏み板パネル８０の上面に化粧板８４（例えば、ビニルタイル  ２ｍｍ）を接着する。
【００７１】
また、前記において、踏み板パネル８０は、ビス止めができるような引抜強度を有し、耐火性能（準不燃構造、耐火構造）を有し、歩行によって破損しないような強度を有する材質とすることが望ましい。例えば、大建工業株式会社製の「ダイライトＲＴ」（１８ｍｍ）を使用する。同製品は、
・準不燃・耐火構造
・比重  ０．７
・吸水寸法変化率  ０．１２％
・防腐・防蟻性能
・切断などの施工性
・引抜強度（φ４．０ｍｍのビス貫通時）
１２７０Ｎ（１３０ｋｇｆ）
・曲げ強度
１８．６Ｎ／ｍｍ2 （１９０ｋｇｆ／ｃｍ2 )
等の諸性能を有し、最適な材料の１つである。
【００７２】
また、ここで、通路用ユニット７６、７６に連続して、前記実施例１の通路用ユニット３０ａ、３０ａ（図９）を配置し、同様にボルト３４で、ささら桁４３に固定して、鉄骨階段５０を構成する（図１３）。通路用ユニット３０ａ、３０ａが鉄骨階段８５の踊り場を構成し、通路用ユニット３０ａの上面にも、前記の踏み板パネル８０と同様の床パネル５６（大建工業株式会社製の「ダイライトＲＴ」（１８ｍｍ））をドリリングネジ８２、８２で固定し、化粧板８４を接着する。図１３において、４５はささら桁４３の端縁４３ａに固定された巾木、５１は梁、４８はアジャスターボルトである。
【００７３】
前記実施例において、突出条１７の数を２つとしたが、１つあるいは３つ以上とすることもできる（図示していない）。また、突出条１７は、下水平板３に代えて、又は上水平板３の突出条１７に加えて、上板７５又は下板１の蹴込み板片６７、７１に形成することもできる（図示していない）。
【００７４】
また、前記実施例において、突出条１７は、巾方向の全長に形成したので、突出条１７がリブとなって、強度を高められるが、実施例１と同様に、両端部に高ナット２３を収容できる溝部１５が形成されれば、中間部は平坦に形成することもできる（図示していない）。
【００７５】
【発明の効果】
水平板と垂直板とからなる通路用ユニットとささら桁とをボルトで接合したので、鉄骨階段の踊り場部、又は踊り場部を有する鉄骨階段を効率的に製造できる効果がある。また、溶接によらないので、組立時にささら桁や踊り場部に発生するひずみを無くすことができる。
【００７６】
また、通路用ユニットは、水平板と垂直板とが一体に形成されるので、単体で充分な強度を確保でき、略Ｌ字状とした場合には水平板の一端側の連結部に、隣接する通路用ユニットの他端側の連結部を重ねるだけで、所定数の通路用ユニットを容易に接合して使用できる効果がある。
【００７７】
また、通路用ユニットで、水平板及び垂直板に屈曲部を形成すれば、屈曲部による溝部内にナットを取り付けて容易に螺孔を形成できると共に、通路用ユニットを補強して、同一強度であれば材厚を薄くでき、軽量化を図れる効果がある。
【００７８】
また、全巾に亘って屈曲した突出条を形成すれば、水平板に乾式の床パネルを使用した場合でも、ビス類が露出することなく、ビス類で固定できる効果がある。従って、構築される通路の軽量化を図り、また工場で予め床パネルを固定することもできるので施工効率を高めることができると共に、床パネルが破損した際の取り替えが容易にできる。
【００７９】
また、通路用ユニットを２枚の鋼板の張り合わせて所定の厚さを確保した構造とた場合には、使用する板材を薄くできるので、１枚の鋼板から形成する場合に比して、切断屈曲等の加工が容易であり、また歩行時の騒音を減らすことができる効果がある。
【図面の簡単な説明】
【図１】（ａ）はこの通路用ユニットの組立図、（ｂ）はこの発明の通路用ユニットの斜視図、（ｃ）は通路用ユニットを連結した状態の斜視図である。
【図２】この発明の通路用ユニットの拡大正面図である。
【図３】図２のＡ−Ａ線における断面図である。
【図４】この発明の通路用ユニットを使用した鉄骨階段の斜視図である。
【図５】同じく鉄骨階段の踊り場の拡大斜視図である。
【図６】同じく踊り場の拡大縦断面図である。
【図７】この発明の他の通路用ユニットの実施例の斜視図で、（ａ）は垂直板の組立図、（ｂ）は垂直板、（ｃ）は垂直板を並列した状態、（ｄ）は通路用ユニットを取り付けた状態を夫々表す。
【図８】同じく他の通路用ユニットの拡大正面図である。
【図９】同じく他の通路用ユニットの拡大正面図である。
【図１０】同じく他の通路用ユニットで、踏み段に使用するもの拡大正面図である。
【図１１】図１０の通路用ユニットの使用状態の拡大正面図である。
【図１２】図１１のＢ−Ｂ線における拡大断面図である。
【図１３】同じく図１０の通路用ユニットを鉄骨階段に使用した正面図である。
【図１４】従来の鉄骨階段の斜視図である。
【符号の説明】
１  下板
３  下水平板
４  一端（下水平板）
５  他端（下水平板）
６  下垂直板
７  上端（下垂直板）
８  下端（下垂直板）
９  溝部（下垂直板）
１０  溝部の両端（下垂直板）
１１  突出条（下垂直板）
１２  補強垂直板
１３  上水平リブ（補強垂直板）
１４  下水平リブ（補強垂直板）
１５  溝部（上水平板）
１６  溝部の両端（上水平板）
１７  突出条（上水平板）
１８  垂直板
１９  上水平板
２０  一端（上水平板）
２１  他端（上水平板）
２２  水平板
２３  高ナット
２６  下垂直板６の水平リブ
２７  連結部
２８  連結部
２９  連結部
３０  通路用ユニット
３１  通路用ユニット
３２  側板
３３  貫通孔（側板）
３４  ボルト
３６  踏み段部
４０  上踊り場部
４１  下踊り場部
４３  ささら桁
４４  貫通孔（ささら桁）
５０  鉄骨階段
５２  ワイヤーメッシュ
５６  床パネル
５７  鉄骨階段（従来例）
５８  踏み段部（従来例）
５９  ささら桁（従来例）
６０  踊り場部（従来例）
６１  鉄板（従来例）
６７  蹴込み板片（垂直板）
６８  連結片
６９  連結片
７１  蹴込み板片（垂直板）
７２  連結片
７３  連結片
７５  上板
７６  通路用ユニット
７８  連結部
７９  連結部
８０  踏み板パネル（床パネル）
８２  ドリリングネジ
【図１】
0004599506.tif 000002
【図２】
0004599506.tif 000003
【図３】
0004599506.tif 000004
【図４】
0004599506.tif 000005
【図５】
0004599506.tif 000006
【図６】
0004599506.tif 000007
【図７】
0004599506.tif 000008
【図８】
0004599506.tif 000009
【図９】
0004599506.tif 000010
【図１０】
0004599506.tif 000011
【図１１】
0004599506.tif 000012
【図１２】
0004599506.tif 000013
【図１３】
0004599506.tif 000014
【図１４】
0004599506.tif 000015